(57)【要約】【課題】イオナイザーだけで定着部で発生する揮発性の超微小粒子の放出を抑制して記録紙から発生する蒸気を拡散する。【解決手段】画像形成装置１は、画像形成部１２と、表面にトナー画像が形成された記録紙Ｐを加熱ローラー１３１及び加圧ローラー１３３でニップして加熱及び加圧して記録紙Ｐにトナーを定着させる定着部１３と、放電電極針７１及び高圧電圧を発生させる高圧電源部７２を有し、高圧電源部７２で発生させた高圧電圧を放電電極針７１に印加して放電電極針７１の針先においてコロナ放電を発生させるイオナイザー７０と、放電電極針７１を駆動して、放電電極針７１の針先の向きを、コロナ放電に伴うイオン風２００を加熱ローラー１３１に当てる第１の方向Ｄ１とイオン風２００を定着部１３から排出される記録紙Ｐに当てる第２の方向Ｄ２との間で切り替える駆動機構８０と、イオナイザー７０及び駆動機構８０を制御する制御部１００とを備える。【選択図】図４
2018120139.tif 000002
【特許請求の範囲】
【請求項１】
記録紙の表面にトナー画像を形成する画像形成部と、
加熱ローラー及び加圧ローラーを有し、表面に前記トナー画像が形成された前記記録紙を前記加熱ローラー及び前記加圧ローラーでニップして加熱及び加圧して前記記録紙にトナーを定着させる定着部と、
放電電極針と、高圧電圧を発生させる高圧電源部とを有し、前記高圧電源部で発生させた高圧電圧を前記放電電極針に印加して前記放電電極針の針先においてコロナ放電を発生させるイオナイザーと、
前記放電電極針の針先の向きを、前記コロナ放電に伴って発生するイオン風を前記加熱ローラーに当てる第１の方向と、該イオン風を前記定着部から排出される記録紙に当てる第２の方向との間で切り替える動作を行う駆動機構と、
前記イオナイザー及び前記駆動機構を動作制御する制御部と、を備えた画像形成装置。
【請求項２】
前記制御部は、前記駆動機構を動作制御して、前記定着部の前記加熱ローラー及び前記加圧ローラーのニップ部に前記記録紙が通紙されていないときに、前記放電電極針の針先の向きを前記第１の方向とし、前記ニップ部に前記記録紙が通紙されているときに、前記放電電極針の針先を前記第２の方向とする請求項１に記載の画像形成装置。
【請求項３】
機外の温度を計測するサーミスターを更に備え、
前記制御部は、
前記イオナイザーを、前記定着部において定着処理が行われているときに駆動させ、
前記駆動機構を制御して、前記定着部が動作中かつ前記サーミスターにより計測された機外の温度が第１の閾値以上であるときに、前記放電電極針の針先を前記第１の方向に向けさせ、前記定着部が動作中かつ前記サーミスターにより計測された機外の温度が前記第１の閾値よりも低いときに、前記放電電極針の針先を前記第２の方向に向けさせる請求項１に記載の画像形成装置。
【請求項４】
機外の温度を計測するサーミスターを更に備え、
前記制御部は、
前記イオナイザーを、前記定着部において定着処理が行われているときに駆動させ、
前記駆動機構を制御して、前記定着部が動作中かつ前記サーミスターにより計測された機外の温度が第１の閾値以上であるときに、前記放電電極針の針先を前記第１の方向に向けさせ、
前記定着部が動作中かつ前記サーミスターにより計測された機外の温度が前記第１の閾値よりも低い第２の閾値よりも高く、前記第１の閾値よりも低いときに、前記放電電極針の針先を前記第１の方向と前記第２の方向との間の位置に向けさせ、
前記定着部が動作中かつ前記サーミスターにより計測された機外の温度が前記第２の閾値以上のときに、前記放電電極針の針先を前記第２の方向に向けさせる請求項１に記載の画像形成装置。
【請求項５】
前記制御部は、前記駆動機構に、前記定着部が動作中かつ前記サーミスターにより計測された機外の温度が前記閾値よりも低い場合に、前記定着部から記録紙が複数枚排出される毎に、前記放電電極針の針先の向きを前記第１の方向及び前記第２の方向に交互に切り替えさせることで、前記放電電極針の針先を前記第２の方向に向けさせる請求項４に記載の画像形成装置。
【請求項６】
前記駆動機構は、先端に前記放電電極針が取り付けられ、揺動可能に軸支されたフレームと、前記フレームの第１端に連結され、前記フレームを揺動させるアクチュエーターと、前記フレームの第２端に連結され、前記放電電極針の針先が前記第１の方向に向く姿勢に前記フレームを維持するバネとを有する請求項１乃至請求項５のいずれかに記載の画像形成装置。
【請求項７】
記録紙の表面にトナー画像を形成する画像形成部と、
加熱ローラー及び加圧ローラーを有し、表面に前記トナー画像が形成された前記記録紙を前記加熱ローラー及び前記加圧ローラーでニップして加熱及び加圧して前記記録紙にトナーを定着させる定着部と、
放電電極針及び高圧電圧を発生させる高圧電源部を有し、前記高圧電源部で発生させた高圧電圧を前記放電電極針に印加して前記放電電極針の針先においてコロナ放電を発生させるイオナイザーと、
前記コロナ放電に伴うイオン風を前記加熱ローラー及び前記定着部の記録紙排出方向下流側のそれぞれに案内するダクトとを備えた画像形成装置。
【発明の詳細な説明】
【技術分野】
【０００１】
本発明は、画像形成装置に関し、特に、定着部で発生する揮発性の超微小粒子の放出を抑制するとともに記録紙から発生する蒸気を拡散させる技術に関する。
【背景技術】
【０００２】
電子写真方式の画像形成装置は、画像形成部において記録紙表面にトナーを付着させてトナー画像を形成し、定着部において記録紙を加熱及び圧力して記録紙にトナーを定着（融着）させることで記録紙に画像を形成する。このとき、定着部の温度は１５０〜２００℃前後になる。
【０００３】
定着部が高温になることによって、定着ローラーや定着部周りの樹脂等から低分子シロキサン等の揮発性の超微小粒子（ＵＦＰ：Ultra Fine Particle）が発生し、機外へ放出される。昨今の環境ラベルではＵＦＰの放出に対する規制が強化されている。
【０００４】
定着部で発生する揮発性の超微小粒子を機外へ放出させずに機内に留めておく手段の一つとして除電器（イオナイザー）が有効である。イオナイザーは、放電電極針に高圧電圧を印加することによって放電電極針の針先にコロナ放電を発生させ、イオン化した空気で超微小粒子を電気的に中和することで、超微小粒子が機外へ放出されるのを防止する。
【０００５】
下記特許文献１には、定着部で発生した放散物質が流入するダクトを設け、イオナイザーを当該ダクトから離れた位置に配置して、ファンで空気流を発生させて、当該ダクトに流入した放散物質と当該イオナイザーで発生したイオンを合流させるように構成された画像形成装置が開示されている。
【先行技術文献】
【特許文献】
【０００６】
【特許文献１】特開２０１３−１９５４７８号公報
【発明の概要】
【発明が解決しようとする課題】
【０００７】
上記特許文献１のように、画像形成装置にイオナイザーを搭載することにより、定着部から発生する揮発性の超微小粒子を機内に留めておくことができる。
【０００８】
ここで、電子写真方式の画像形成装置では、湿気を含んだ記録紙が定着部において定着処理される際、機外の気温が低いと、記録紙が加熱されたときに記録紙に含まれる湿気が蒸気へと変化することがある。そして、この蒸気が画像形成装置から立ち上ると、操作者は、画像形成装置に異常が発生したと勘違いするおそれがある。この点において、上記特許文献１のように、定着部付近の空気を引き込むファンを設けることで、記録紙から発生する蒸気を拡散させて蒸気を目立たなくさせることができる。
【０００９】
しかしながら、上記特許文献１のように、画像形成装置にイオナイザーとファンの二つを搭載することは、画像形成装置のコストアップに繋がるといった問題がある。
【００１０】
本発明は、上記の事情に鑑みなされたものであり、ファンを設けずにイオナイザーだけで定着部で発生する揮発性の超微小粒子の放出を抑制するとともに記録紙から発生する蒸気を拡散させることを目的とする。
【課題を解決するための手段】
【００１１】
本発明の一局面に係る画像形成装置は、記録紙の表面にトナー画像を形成する画像形成部と、加熱ローラー及び加圧ローラーを有し、表面に前記トナー画像が形成された前記記録紙を前記加熱ローラー及び前記加圧ローラーでニップして加熱及び加圧して前記記録紙にトナーを定着させる定着部と、放電電極針と、高圧電圧を発生させる高圧電源部とを有し、前記高圧電源部で発生させた高圧電圧を前記放電電極針に印加して前記放電電極針の針先においてコロナ放電を発生させるイオナイザーと、前記放電電極針の針先の向きを、前記コロナ放電に伴って発生するイオン風を前記加熱ローラーに当てる第１の方向と、該イオン風を前記定着部から排出される記録紙に当てる第２の方向との間で切り替える動作を行う駆動機構と、前記イオナイザー及び前記駆動機構を動作制御する制御部と、を備えたものである。
【発明の効果】
【００１２】
本発明によれば、ファンを設けずにイオナイザーだけで定着部で発生する揮発性の超微小粒子の放出を抑制するとともに記録紙から発生する蒸気を拡散させることができる。
【図面の簡単な説明】
【００１３】
【図１】本発明の一実施形態に係る画像形成装置の構造を示す図である。
【図２】画像形成装置の内部構成を示す機能ブロック図である。
【図３】図１における上方から加熱ローラー及び放電電極針を視認した状態を示し、イオナイザーの放電電極針の形状例を示す図である。
【図４】イオナイザーの放電電極針を駆動する駆動機構の構成を示す図である。
【図５】イオナイザーの放電電極針を駆動する駆動機構の別の構成を示す図である。
【図６】ダクトによりイオン風を分岐する構成を示す図である。
【発明を実施するための形態】
【００１４】
以下、本発明の一実施形態に係る画像形成装置について図面を参照して説明する。図１は、本発明の一実施形態に係る画像形成装置の構造を示す正面断面図である。
【００１５】
画像形成装置１は、例えば、スキャナー機能及びコピー機能を兼ね備えたプリンターであり、装置本体１１に、原稿読取部５、給紙部１４、画像形成部１２、定着部１３、及びトップ排出トレイ１５１を含んで構成されている
給紙部１４は、装置本体１１の底部に設けられ、複数の記録紙Ｐを収容する給紙カセット１４１と、給紙カセット１４１に収容された記録紙Ｐを１枚ずつ取り出すための記録紙ピックアップローラー１４２と、記録紙ピックアップローラー１４２で取り出された記録紙Ｐを搬送路Ｌ１へ送り出す給紙ローラー対１４３とを備える。
【００１６】
給紙ローラー対１４３によって給紙された記録紙Ｐは、搬送ドラム１７１を介して搬送路Ｌ１へ送り出される。搬送路Ｌ１へ送り出された記録紙Ｐは、レジストローラー対１７２によって画像形成部１２へ供給される。
【００１７】
画像形成部１２は、給紙カセット１４１の上方に設けられ、感光体ドラム１２１と、帯電装置１２２と、露光装置１２３と、現像装置１２４と、転写ローラー１２５と、クリーニング装置６０とを備える。
【００１８】
感光体ドラム１２１は、像担持体であり、回転軸を中心にして回転可能に構成されている。帯電装置１２２は、帯電ローラーを有し、感光体ドラム１２１の表面を帯電させる。露光装置１２３は、原稿読取部５により読み取られた原稿Ｍの画像データに基づいて、レーザー光を照射することによって、感光体ドラム１２１の表面に潜像を形成する。
【００１９】
現像装置１２４は、現像ローラー１２４１を有し、感光体ドラム１２１の表面に形成された潜像をトナーで可視化する。転写ローラー１２５は、感光体ドラム１２１とで形成する転写ニップ部Ｎ１において、感光体ドラム１２１上に形成されたトナー像を記録紙Ｐに転写させる。
【００２０】
クリーニング装置６０は、クリーニングローラーとクリーニングブレードとを備える。クリーニングローラー及びクリーニングブレードは、感光体ドラム１２１の表面に接触して、感光体ドラム１２１の表面に残留したトナーや付着物を除去して、感光体ドラム１２１の表面を清掃する。
【００２１】
定着部１３は、熱圧着によりトナー像を記録紙Ｐに定着させるものであり、例えばヒートランプである熱源１３２を内蔵する加熱ローラー１３１と、加圧ローラー１３３とを備える。加熱ローラー１３１は、熱源１３２によりその周表面が１５０〜２００℃前後に加熱される。加熱ローラー１３１と加圧ローラー１３３とは対を成し、記録紙Ｐが加熱ローラー１３１及び加圧ローラー１３３による定着ニップ部Ｎ２を挟持搬送される際に、未定着のトナー像が熱源１３２の熱で溶融し、加熱ローラー１３１及び加圧ローラー１３３の圧力で記録紙Ｐに定着される。
【００２２】
定着部１３の近傍にイオナイザー７０の放電電極針７１が配置されている。詳しくは後述するが、放電電極針７１に高圧電圧が印加されることで針先の空気が電離されて微弱なイオン風が発生し、イオンが定着部１３に降り注ぐ。高温の定着部１３から発生する低分子シロキサン等の揮発性の超微小粒子は、放電電極針７１から放出されるイオンにより電気的に中和されて機外へ放出されずに機内に留められる。
【００２３】
次に、画像形成装置１の電気的構成を説明する。図２は画像形成装置１の内部構成を示す機能ブロック図である。
【００２４】
画像形成装置１は、制御ユニット１０、操作部４７、原稿給送部６、原稿読取部５、画像形成部１２、定着部１３、イオナイザー７０、駆動機構８０、及びサーミスター９３等を備える。
【００２５】
原稿読取部５は、制御ユニット１０による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２６】
操作部４７は、画像形成装置１が実行可能な各種動作及び処理について操作者からの指示を受け付ける。
【００２７】
イオナイザー７０は、放電電極針７１及び高圧電源部７２を備えている。
【００２８】
図３は、図１における上方から加熱ローラー１３１及び放電電極針７１を視認した状態を示し、イオナイザー７０の放電電極針７１の形状例を示す図である。図３に示すように、放電電極針７１は、定着部１３の加熱ローラー１３１の回転軸Ａに沿って延在する金属製の根元部材７１Ａから、回転軸Ａに略垂直に突き出す多数の針状突起として形成されている。高圧電源部７２は、例えば数千ボルトの交流高圧電圧を発生させる。放電電極針７１は高圧電源部７２と接続されており、高圧電源部７２から高圧電圧が印加されることにより、放電電極針７１の針先においてコロナ放電が発生する。
【００２９】
図２へ戻り、アクチュエーター８２は、イオナイザー７０の放電電極針７１を駆動して放電電極針７１の針先の向きを切り替える駆動機構８０（図４）の構成要素の一つである。アクチュエーター８２は、例えば、モーターやソレノイド等で実現することができる。
【００３０】
図４は、イオナイザー７０の放電電極針７１を駆動する駆動機構８０の構成を示す図である。なお、図４は、定着部１３の加熱ローラー１３１の回転軸方向に駆動機構８０を見た図である。なお、記録紙Ｐは、図４の右側から定着部１３へ搬送され、定着処理後に図４の上側へ排出されるものとする。
【００３１】
駆動機構８０は、フレーム８１、アクチュエーター８２、及びバネ８３を備えている。フレーム８１は、加熱ローラー１３１と平行に延びる軸８４により軸支され、軸８４を中心として揺動可能にされている。フレーム８１の、定着部１３側の先端に放電電極針７１が取り付けられている。
【００３２】
フレーム８１の、定着部１３から遠い側の端部８５にアクチュエーター８２が連結されている。アクチュエーター８２が動作して端部８５を図４における上下方向に往復運動させることにより、フレーム８１は軸８４を中心に揺動する。この結果、フレーム８１の先端に取り付けられた放電電極針７１の針先の向きが、針先で発生するイオン風２００を加熱ローラー１３１に当てる方向Ｄ１と、イオン風２００を定着部１３から排出される記録紙Ｐに当てる方向Ｄ２とで切り替えられる。なお、図４において、放電電極針７１の針先が方向Ｄ２に向いているときの放電電極針７１及びフレーム８１を一点鎖線で描いている。
【００３３】
フレーム８１は、その定着部１３に近い側の端部８６にバネ８３が連結されている。バネ８３は、例えば引きバネであり、図４に示す矢印Ａ方向に端部８６を付勢することで、放電電極針７１の針先が方向Ｄ１に向く姿勢にフレーム８１を維持している。したがって、アクチュエーター８２が動作していない場合には、バネ８３の付勢力により、フレーム８１は図４において実線で描いた状態になる。
【００３４】
制御部１００による駆動機構８０の動作制御により、アクチュエーター８２がフレーム８１の端部８５を引き下げていないときは、放電電極針７１の針先が方向Ｄ１に向く状態とされている。このとき、放電電極針７１の針先で発生するイオン風２００が加熱ローラー１３１に当たることで、高温の加熱ローラー１３１から発生する揮発性の超微小粒子がイオン風２００により電気的に中和される。これにより、超微小粒子は機外へ放出されずに機内に留められる。
【００３５】
一方、制御部１００による駆動機構８０の動作制御により、アクチュエーター８２がフレーム８１の端部８５を引き下げ、バネ８３の付勢力に抗して放電電極針７１の針先が移動して方向Ｄ２に向いているときには、定着処理により加熱された記録紙Ｐから立ち上る蒸気にイオン風２００が当たって蒸気が拡散される。これにより、蒸気を目立たなくして、操作者が画像形成装置１の異常と勘違いするのを防ぐことができる。
【００３６】
サーミスター９３は、装置本体１１の外壁等に配設され、機外の温度を計測する。
【００３７】
制御ユニット１０は、プロセッサー、ＲＡＭ、ＲＯＭ及び専用のハードウェア回路等から構成される。プロセッサーは、例えば、ＣＰＵ、ＭＰＵ、ＡＳＩＣ等である。制御ユニット１０は、制御部１００を備えている。制御ユニット１０は、例えば、制御ユニット１０が内蔵するメモリーに記憶されている制御プログラムに従って上記プロセッサーが動作することにより、制御部１００として機能する。
【００３８】
制御部１００は、画像形成装置１の全体的な動作制御を司る。制御部１００は、原稿読取部５、原稿給送部６、画像形成部１２、定着部１３、操作部４７、高圧電源部７２、駆動機構８０、アクチュエーター８２、及びサーミスター９３等と接続されている。制御部１００は、接続されている上記各機構の制御や、各機構との間での信号又はデータの送受信を行う。
【００３９】
具体的に、制御部１００は、定着部１３に定着処理を行わせるのに合わせて、高圧電源部７２に指示を出して高圧電圧を発生させる。すなわち、イオナイザー７０は、定着部１３において定着処理が行われているときに動作する。イオナイザー７０の主たる役割は、高温の定着部１３から発生する揮発性の超微小粒子を電気的に中和して機内に留めておくことである。このため、超微小粒子が発生しないとき、すなわち、定着部１３が定着処理を行っていないときにはイオナイザー７０は動作する必要がない。したがって、制御部１００は、イオナイザー７０を常時動作させるのではなく、定着部１３において定着処理が行われているときに動作させるようにする。これにより、消費電力を削減することができる。
【００４０】
また、制御部１００は、アクチュエーター８２に指示を出してアクチュエーター８２を動作させる。このとき、制御部１００は、定着部１３が動作中かつサーミスター９３により計測された機外の温度が第１の閾値（定着部１３が動作している環境において蒸気を発生させにくいとして実験等により予め定められた機外温度）以上であるとき、放電電極針７１の針先が方向Ｄ１に向くようにアクチュエーター８２を動作させる。
【００４１】
一方、制御部１００は、定着部１３が動作中かつサーミスター９３により計測された機外の温度が上記第１の閾値よりも低いとき、放電電極針７１の針先が方向Ｄ２に向くようにアクチュエーター８２を動作させる。これにより、機外の温度が高いとき、すなわち、記録紙Ｐから蒸気が出にくいときには、イオナイザー７０を定着部１３から発生する揮発性の超微小粒子の除電に使用し、機外の温度が低い、すなわち、記録紙Ｐから蒸気が出やすい場合には、放電電極針７１の針先から発生するイオン風２００を利用して蒸気を拡散することができる。
【００４２】
また、制御部１００は、(i)定着部１３が動作中かつサーミスター９３により計測された機外の温度が上記第１の閾値以上であるときに、放電電極針７１の針先を方向Ｄ１に向けさせ、(ii)定着部１３が動作中かつサーミスター９３により計測された機外の温度が上記第１の閾値よりも低い第２の閾値（定着部１３が動作している環境において蒸気を発生させやすいとして実験等により予め定められた機外温度）よりも高く、上記第１の閾値よりも低いときには、放電電極針７１の針先を方向Ｄ１と方向Ｄ２の間の位置に向けさせ、(iii)定着部１３が動作中かつサーミスター９３により計測された機外の温度が上記第２の閾値以下のときに、放電電極針７１の針先を方向Ｄ２に向けさせるように、機外の温度に応じて放電電極針７１の針先を複数段階に変更するようにしてもよい。
【００４３】
また、制御部１００は、定着部１３の加熱ローラー１３１及び加圧ローラー１３３のニップ部に記録紙Ｐが通紙されていないときに、放電電極針７１の針先が方向Ｄ１に向くようにアクチュエーター８２を動作させ、当該ニップ部に記録紙Ｐが通紙されているときに、放電電極針７１の針先が方向Ｄ２に向くようにアクチュエーター８２を動作させるようにしてもよい。これにより、蒸気を発生させやすい記録紙Ｐの搬送経路に向けてイオン風２００を発生させることで蒸気を拡散することができる。
【００４４】
更に、制御部１００は、定着部１３が動作中かつサーミスター９３により計測された機外の温度が閾値よりも低い場合において定着部１３から記録紙Ｐが複数枚排出される毎に、放電電極針７１の針先の向きを方向Ｄ１及び方向Ｄ２に交互に切り替えるようにアクチュエーター８２を動作させてもよい。これにより、定着部１３から発生する揮発性の超微小粒子を機内に留めつつ、記録紙Ｐから発生する蒸気を拡散させることができる。
【００４５】
以上、説明したように、本実施形態によると、放電電極針７１の先端から発生するイオン風２００を利用することで、ファンを設けずにイオナイザー７０だけで定着部１３で発生する揮発性の超微小粒子の放出を抑制するとともに記録紙Ｐから発生する蒸気を拡散させることができる。
【００４６】
なお、本発明は上記実施の形態の構成に限られず種々の変形が可能である。例えば、下記のように変形することができる。
【００４７】
図５は、イオナイザー７０の放電電極針７１を駆動する駆動機構の別の構成を示す図である。図５に示した構成は、図４に示した構成におけるアクチュエーター８２を異なる機械構成に置換したものである。それ以外は図４の構成と同じであるため説明を省略する。
【００４８】
アクチュエーター８２Ａは、例えば、カムやラチェットギア等で実現することができる。アクチュエーター８２Ａは、加熱ローラー１３１及び加圧ローラー１３３を回転駆動する図略の駆動モーターから駆動力を得て回転運動する。すなわち、アクチュエーター８２Ａは、加熱ローラー１３１及び加圧ローラー１３３の回転に連動して動作する。この構成によっても、制御部１００が、上記駆動モーターを駆動制御することで、定着部１３が動作しているときにフレーム８１が揺動して、放電電極針７１の針先の向きが方向Ｄ１及び方向Ｄ２に切り替え可能である。これにより、定着部１３から発生する揮発性の超微小粒子を機内に留めつつ、記録紙Ｐから発生する蒸気を拡散させる。
【００４９】
更なる別の実施形態を説明する。図６は、ダクトによりイオン風を分岐する構成を示す図である。図６に示した構成では、図４及び図５の構成とは違って、駆動機構８０に代えてダクト３００を設けている。ダクト３００には３つの開口部３００Ａ、３００Ｂ、３００Ｃがあり、開口部３００Ａは放電電極針７１の先端部分に、開口部３００Ｂは加熱ローラー１３１の近傍に、開口部３００Ｃは定着部１３の記録紙排出方向下流側においてそれぞれ開口している。放電電極針７１の針先で発生したイオン風２００は開口部３００Ａから流入し、ダクト３００の内部で分岐して開口部３００Ｂ、３００Ｃからそれぞれ流出する。これにより、定着部１３から発生する揮発性の超微小粒子を機内に留めつつ、記録紙Ｐから発生する蒸気を拡散させることができる。
【符号の説明】
【００５０】
１        画像形成装置
１２      画像形成部
１３      定着部
１３１    加熱ローラー
１３３    加圧ローラー
７０      イオナイザー
７１      放電電極針
７２      高圧電源部
８０      駆動機構
８１      フレーム
８２      アクチュエーター
８２Ａ    アクチュエーター
８３      バネ
９３      サーミスター
２００    イオン風
３００    ダクト
Ｄ１      第１の方向
Ｄ２      第２の方向
Ｐ        記録紙
【図１】
2018120139.tif 000003
【図２】
2018120139.tif 000004
【図３】
2018120139.tif 000005
【図４】
2018120139.tif 000006
【図５】
2018120139.tif 000007
【図６】
2018120139.tif 000008